(57)【特許請求の範囲】
【請求項１】
バリカン型の刈刃機構を機体横方向に並べて配設し、左右の刈刃機構の固定刃部に重合する可動刃部を互に相反する方向に往復駆動させる収穫機の刈取装置において、左右の刈刃機構の機体内端の左右固定刃間に、少なくとも前端が機体側方に開放される隙間を形成すべく、この左右固定刃の先端部を長手方向で重合させることを特徴とする収穫機の刈取装置。
【請求項２】
左右の刈刃機構の機体内端の左右可動刃は、機体内方のストロークエンドに達したとき、請求項１記載の左右固定刃に機体側方に向く隙間より後方で重合することを特徴とする請求項１記載の収穫機の刈取装置。
【発明の詳細な説明】
【０００１】
【発明の属する技術分野】
本発明は、刈幅の左半分の可動刃部と右半分の可動刃部を相反する方向に往復駆動させることにより、駆動時の振動を防止するようにした収穫機のバリカン型の刈取装置に関する。
【０００２】
【従来の技術】
２本の可動刃を機体横方向に並列させて１本の固定刃に重合し、かつ、互に相反する方向に往復駆動するように構成された農機のバリカン型刈取装置が、実公平５−２５３８３号公報に記載されている。
【０００３】
【発明が解決しようとする課題】
前記従来技術は、可動刃だけを左右に独立させているため、左右の可動刃のストローク調整が、左右の可動刃に駆動軸の回転運動を往復運動に変換して伝える駆動部でしか行い得ず、困難であった。そこで固定刃も左右に独立して、左右の可動刃のストローク調整の容易化を図る場合、左右の固定刃の機体内端間の隙間（調整代ろ）に稈などが引掛かったり、詰ったりするので、稈ガイドなどを設けることなく適正に隙間を確保することが必要になる。
【０００４】
【課題を解決するための手段】
従って、刈幅の左半分と右半分を独立したバリカン型の刈刃機構で構成し、左右の可動刃部のストローク調整を容易に行えるようにし、且つ、左右の刈刃機構の機体内端の左右固定刃間に、少なくとも前端が機体側方に開放される隙間を確保し、稈ガイドを設けることなく左右の刈刃機構間の隙間に稈などが引掛かったり、詰ったりするのも防止する。
【０００５】
また、左右の刈刃機構の機体内端の左右可動刃を、機体側方に向く隙間より後方で前記左右固定刃と重合させ、左右可動刃によるこの隙間への稈の詰込みを防止すると共に、切断不能の稈を発生させないようにする。
【０００６】
【発明の実施の形態】
以下、本発明の実施例を図面に基づいて詳述する。図１は機体内端の左右固定刃の平面図、図２はコンバインの全体側面図、図３は同平面図、図４は同正面図であり、図中（１）は走行クローラ（２）を装設するトラックフレーム、（３）は前記トラックフレーム（１）に架設する機台、（４）はフィードチェン（５）を左側に張架し扱胴（６）及び処理胴（７）を内蔵している脱穀機である脱穀部、（８）は前処理機構及び穀稈搬送機構などを備える６条用の刈取部、（９）は排藁チェン（１０）終端を臨ませる排藁処理部、（１１）は脱穀部（４）からの穀粒を揚穀筒を介して搬入する穀物タンク、（１２）は前記タンク（１１）の穀粒を機外に搬出する排出オーガ、（１３）は運転操作部（１４）及び運転席（１５）を備える運転台、（１６）は運転席（１５）下方に設けるエンジンであり、連続的に穀稈を刈取って脱穀するように構成している。
【０００７】
図５に示す如く、前記刈取部（８）は、分草板（１７）を介して取入れられる未刈穀稈を起立させる引起装置（１８）と、この引起時に穀稈の稈元側を掻込む掻込装置（１９）と、この掻込時に穀稈の株元を切断するバリカン型の刈取装置とで、前処理機構が構成されている。また右側２条分の刈取穀稈を左斜後方に搬送する右下部搬送チェン（２０）及び上下一対の右上部搬送タイン（２１）と、左側２条分の刈取穀稈を右下部搬送チェン（２０）の後端側に搬送受継させる左下部搬送チェン（２２）及び上下一対の左上部搬送タインチェン（２３）と、中央２条分の刈取穀稈を右下部搬送チェン（２０）の後端側に搬送受継させる中央下部搬送チェン（２４）及び中央上部搬送タインチェン（２５）と、右下部搬送チェン（２０）の後端側に合流する６条分の刈取穀稈を脱穀部（４）のフィードチェン（５）の前端に補助搬送チェン（２６）を介して搬送受継させる縦搬送チェン（２７）とで穀稈搬送機構を構成している。
【０００８】
図５及び図６に示す如く、前記前処理機構は、刈取部（８）の下部に機体横方向（左右方向）に横架される横伝動軸ケース（２８）に、前処理装置の底部で機体進行方向（前後方向）に略等間隔に張設された７本の刈取フレーム（２９）を介して、固定支持している。この各刈取フレーム（２９）は、後端側が横連結フレーム（３０）によって一体連結されており、この横連結フレーム（３０）の左右端部が、横伝動軸ケース（２８）の左右端部より前方に一体延出された左右連結アーム（３１）（３２）に固定支持され、且つ、横連結フレーム（３０）よりさらに後方に延出された左右最外側の刈取フレーム（２９）の後端が、横伝動軸ケース（２８）の左右端面に固定支持されている。一方、横伝動ケース（２８）は、刈取部（８）の最後部で機体横方向に横架される刈取入力軸ケース（３３）の中間部より前方下向きに突出固定された縦伝動軸ケース（３４）の下端に中間部が一体連結されている。尚、刈取入力軸ケース（３３）は刈取部（８）がこの刈取入力軸ケース（３３）を中心に昇降可能に機台（３）に回動自在に支持されている。
【０００９】
図６乃至図８に示す如く、前記刈取装置は、前処理機構の掻込装置（１９）の下方に対応する刈取フレーム（２９）の下側で機体横方向にバリカン型の左右刈刃機構（Ａ）（Ｂ）を並べて配設し、刈幅の左半分と右半分を独立した左右刈刃機構（Ａ）（Ｂ）で構成している。
【００１０】
各刈刃機構（Ａ）（Ｂ）は刈幅の機外側端に対応する左右最外側の刈取フレーム（２９）の下側より刈幅の左右中央に対応する中央の刈取フレーム（２９）の下側に横架固定される受刃台（３５）に多数の固定刃である受刃（３６）を一定ピッチでリベット止めして成る固定刃部（３７）と、この固定刃部（３７）の上面に重ねる可動刃部（３８）とで構成され、この可動刃部（３８）はナイフバー（３９）と、このナイフバー（３９）に受刃（３６）と同じ一定ピッチでリベット止めされる多数の可動刃である刈刃（４０）と、機外側部の数枚の刈刃（４０）と共にナイフバー（３９）にリベット止めされるナイフバー（４１）から成り、受刃台（３５）にボルト・ナットで摩擦板（４２）及び調整板（４３）と共に締付固定される複数の刃押え（４４）によって、可動刃部（３８）が固定刃部（３７）の上面に機体横方向にのみ往復移動自在に重合支持されている。
【００１１】
そして、刈取入力軸ケース（３３）の内部に、一端に刈取入力プーリ（４５）を取付けた刈取入力軸（４６）が軸支されており、この刈取入力軸（４６）の中間部に、縦伝動軸ケース（３４）の内部に軸支された縦伝動軸（４７）の上端がベベルギヤによって連動連結され、この縦伝動軸（４７）の下端に、横伝動軸ケース（２８）の内部に軸支された横伝動軸（４８）の中間部がベベルギヤによって連動連結され、この横伝動軸（４８）の左右端部より左右刈刃機構（Ａ）（Ｂ）の刈刃駆動軸（４９）（５０）が分岐されている。この左右刈刃駆動軸（４９）（５０）は互に相反する方向に回転するように横伝動軸（４８）の左右端部とそれぞれベベルギヤによって連動連結され、この左右刈刃駆動軸（４９）（５０）の回転運動が、クランク車（５１）及びピットマンであるアジャストロッド（５２）及び刈刃駆動アーム（５３）から成る左右刈刃駆動機構（Ｃ）（Ｄ）によって、往復運動に変換されて左右刈刃機構（Ａ）（Ｂ）の各可動刃部（３８）のナイフバー（４１）に伝えられ、この左右刈刃機構（Ａ）（Ｂ）の各可動刃部（３８）が互に相反する方向に往復駆動され、駆動時の振動及び騒音を低減するように構成している。
【００１２】
また、左右刈刃機構（Ａ）（Ｂ）の各固定刃部（３７）の受刃台（３５）は、各刈取フレーム（２９）に固着された受刃台取付ブラケット（５４）にボルト（５５）及びナット（５６）によって脱着自在に締付固定され、この各ボルト（５５）を通す左右受刃台（３５）の各ボルト孔が機体横方向に長い長孔（５７）に形成され、左右刈刃機構（Ａ）（Ｂ）の各固定刃部（３７）の固定位置が各可動刃部（３８）の移動方向に調節可能となっており、左右刈刃機構（Ａ）（Ｂ）の各可動刃部（３８）のストローク調整、（可動刃部（３８）の各刈刃（４０）がこのストロークエンドで固定刃部（３７）の各受刃（３６）上面にピッタリと重合するようにすること）を左右刈刃駆動機構（Ｃ）（Ｄ）のアジャストロッド（５２）の長さ調節だけでなく、左右刈刃機構（Ａ）（Ｂ）の各固定刃部（３７）の位置調整によっても可能とし、左右刈刃機構（Ａ）（Ｂ）の各可動刃部（３８）のストローク調整作業を簡単に行えるように構成している。即ち、左右のストロークエンドに移動させた可動刃部（３８）に対して固定刃部（３７）を移動させて、受刃（３６）と刈刃（４０）をピッタリと一致させる。
【００１３】
図９及び図１０に示す如く、左右刈刃機構（Ａ）（Ｂ）の固定刃部（３７）と可動刃部（３８）の機体内端の受刃及び刈刃を除く各受刃（３６）及び各刈刃（４０）は同一形状（二等辺三角形）に形成され、この各受刃（３６）及び各刈刃（４０）を縦に半割りにした一方の受刃（３６ａ）と刈刃（４０ａ）が左刈刃機構（Ａ）の固定刃部（３７）と可動刃部（３８）の機体内端（右端）に固着され、他方の受刃（３６ｂ）と刈刃（４０ｂ）が右刈刃機構（Ｂ）の固定刃部（３７）と可動刃部（３８）の機体内端（左端）に固着され、この左右刈刃機構（Ａ）（Ｂ）の固定刃部（３７）と可動刃部（３８）の機体内端の左右受刃（３６ａ）（３６ｂ）と左右刈刃（４０ａ）（４０ｂ）で刈幅の中央に位置する受刃と刈刃を構成している。
【００１４】
さらに、左右刈刃機構（Ａ）（Ｂ）の固定刃部（３７）の機体内端の左右受刃（３７ａ）（３７ｂ）の一方の受刃（３７ａ）の先端部が他の各受刃（３６）の先端より前方に突出し、他方の受刃（３７ｂ）の先端部には、一方の受刃（３７ａ）の先端部に長手方向（刈幅方向）で重合させる三角形状の頂部（５８）が一体に形成され、左右受刃（３７ａ）（３７ｂ）の間に刈幅の中央に位置する受刃を左右に半割りにする機体進行方向の縦隙間（５９）と、この縦隙間（５９）の先端側に一端が連通接続され、且つ、他端を刈幅の中央に位置する受刃の刃面途中つまり機体側方に開放する横隙間（５９）を形成し、左右刈刃機構（Ａ）（Ｂ）の可動刃部（３８）の機体内端の左右刈刃（４０ａ）（４０ｂ）を、前記横隙間（５９）より後方で、左刈刃（４０ａ）は右ストロークエンドで左受刃（３７ａ）と、右刈刃（４０ｂ）は左ストロークエンドで右受刃（３７ｂ）と重合させるように構成している。
【００１５】
尚、左右受刃（３７ａ）（３７ｂ）の重り合う部分つまり横隙間（６０）は機体進行方向に対し９０°より大きくなるように形成することが、穀稈の引掛り、詰まりに対して有効である。また左右刈刃機構（Ａ）（Ｂ）の各可動刃部（３８）のストローク調整は左右刈刃（４０ａ）（４０ｂ）がこれらが接近するストロークエンドで干渉しないように調整される。
【００１６】
【発明の効果】
以上実施例から明らかなように本発明は、刈幅の左半分と右半分を独立したバリカン型の刈刃機構（Ａ）（Ｂ）で構成することにより、左右の可動刃部（３８）のストローク調整を容易に行うことができ、且つ、左右の刈刃機構（Ａ）（Ｂ）の機体内端の左右固定刃（３７ａ）（３７ｂ）間に、少なくとも前端が機体側方に開放される隙間（６０）を確保することにより、稈ガイドを設けることなく左右の刈刃機構（Ａ）（Ｂ）間の隙間に稈などが引掛ったり、詰まったりするのを防止でき、全刈幅にわたって安定した切断が可能となる。
【００１７】
また、左右の刈刃機構（Ａ）（Ｂ）の機体内端の左右可動刃（４０ａ）（４０ｂ）を、機体側方に向く隙間（６０）より後方で前記左右固定刃（３７ａ）（３７ｂ）と重合させることにより、左右可動刃部（４０ａ）（４０ｂ）による隙間（６０）への稈の詰込みを防止できると共に、切断不能の稈が発生せず、全刈幅にわたって安定した切断が可能となる。
【図面の簡単な説明】
【図１】機体内端の左右固定刃の平面図。
【図２】コンバインの全体側面図。
【図３】コンバインの全体平面図。
【図４】コンバインの全体正面図。
【図５】刈取部の側面図。
【図６】刈取装置の全体平面図。
【図７】刈刃機構の側面断面図。
【図８】刈刃駆動部の側面断面図。
【図９】可動刃がストロークセンターに位置し固定刃と非重合状態の刈刃機構の機体内端部の平面図。
【図１０】可動刃が機体内方へのストロークエンドに位置し固定刃と重合状態の刈刃機構の機体内端部の平面図。
【符号の説明】
（Ａ）      左刈刃機構
（Ｂ）      右刈刃機構
（３６）    受刃（固定刃）
（３６ａ）  左受刃（左固定刃）
（３６ｂ）  右受刃（右固定刃）
（３７）    固定刃部
（３８）    可動刃部
（４０）    刈刃（可動刃）
（４０ａ）  左刈刃（左可動刃）
（４０ｂ）  右刈刃（右可動刃）
（６０）    隙間（横隙間）
【図１】
0003658437.tif 000002
【図２】
0003658437.tif 000003
【図３】
0003658437.tif 000004
【図４】
0003658437.tif 000005
【図５】
0003658437.tif 000006
【図６】
0003658437.tif 000007
【図７】
0003658437.tif 000008
【図８】
0003658437.tif 000009
【図９】
0003658437.tif 000010
【図１０】
0003658437.tif 000011